(57)【要約】【課題】排気ガスの影響を受けないきれいな空気を建物内に供給可能としながらも、スペース上の制約が少なく、建物の有効利用を図ることのできる外気加圧給気システムを提供する。【解決手段】外気を吸引して建物１内に供給する送気手段と、この送気手段の吐出側に接続されて上記外気を建物１内の吹出口に導く空気流路４とを備えた外気加圧給気システムである。上記送気手段は、コンプレッサー２と、このコンプレッサー２の吐出側に接続された加圧タンク３とを有する。空気流路４の途中には、加圧タンク３を経由してコンプレッサー２から送られる加圧空気を減圧する減圧弁が設けられ、コンプレッサー２から減圧弁までの間の空気流路４が配管４ａ、４ｂによって構成されている。【選択図】　　　　図１
2004044879.tif 000002
【特許請求の範囲】
【請求項１】
外気を吸引して建物内に供給する送気手段と、この送気手段の吐出側に接続されて上記外気を建物内の吹出口に導く空気流路とを備えた外気加圧給気システムにおいて、
上記送気手段は、コンプレッサーと、このコンプレッサーの吐出側に接続された加圧タンクとを有し、
上記空気流路の途中には、上記加圧タンクを経由して上記コンプレッサーから送られる加圧空気を減圧する減圧弁が設けられ、上記コンプレッサーから上記減圧弁までの間の上記空気流路が配管によって構成されていることを特徴とする外気加圧給気システム。
【請求項２】
建物内に空気を供給する送気手段と、この送気手段の吐出側に接続されて上記空気を建物内の吹出口に導く空気流路とを備えた外気加圧給気システムにおいて、
上記送気手段として、外部から加圧空気を充填可能な加圧タンクを用いるとともに、上記空気流路の途中には、上記加圧タンクから送られる加圧空気を減圧する減圧弁が設けられ、上記加圧タンクから上記減圧弁までの間の上記空気流路が配管によって構成されていることを特徴とする外気加圧給気システム。
【発明の詳細な説明】
【０００１】
【発明の属する技術分野】
本発明は、建物の換気に用いられる外気加圧給気システムに関するものである。
【０００２】
【従来の技術】
環境衛生上、建物の居室には一定量の外気を導入して室内の空気を入れ換えることが義務付けられている。建物内に外気を導入するシステムとしては、外気取り入れガラリから外気を吸引して建物内に取り入れる送風機と、この送風機から送られる外気を空調機または全熱交換器を経て室内に供給するダクトとを備えた給気システムが一般に知られている。この給気システムにおいては、各階に送風機を設けて、各階で個別に外気の取り入れを行うことが多い。
【０００３】
【発明が解決しようとする課題】
しかしながら、外気の取り入れを行う際には、自動車などの排気ガスの影響を受けないきれいな空気を導入することが望ましく、それには、外気取り入れ高さを一定の高さ以上とする必要がある。例えば、屋上や上層階から外気を取り入れて、これを下層階に供給する等の対策が必要になる。また、外気の取り入れ量については、事務所であれば居室の計画人員に基づいて決定する必要があり、在室密度に応じた外気を居室内に導入する必要がある。また、ダクトで外気を供給する場合には、空気の圧力損失や通風時の騒音等を考慮して、ダクト内の風速を所定速度の範囲（例えば、６〜８ｍ／ｓｅｃ）に設定する必要がある。
【０００４】
このため、在室者が多い建物や、外気を分散して室内に導入できない建物においては、ダクトサイズが自ずと大きくなり、それに対応して梁下と天井のクリアランスも大きくなるため、下り天井にしたり階高を高くしたりする必要が生じる。
また、屋上などから外気を取り入れる場合には、ダクトを通すための竪シャフトが必要となって、その分、床の有効利用面積が減少する。
また、ダクトを途中で分岐させる場合には、ベンドを設けたり、断面形状の急激な拡大や縮小を避けて圧力損失の少ない計画にする必要があるため、天井下面と直上の床スラブとの間の天井内において、ダクトを展開するスペースが広く必要となり、他の配管のルートや設備機器の配置等に影響を与える。
【０００５】
本発明は、かかる事情に鑑みてなされたもので、排気ガスの影響を受けないきれいな空気を建物内に供給可能としながらも、スペース上の制約が少なく、建物の有効利用を図ることのできる外気加圧給気システムを提供することを目的とする。
【０００６】
【課題を解決するための手段】
請求項１に記載の発明は、外気を吸引して建物内に供給する送気手段と、この送気手段の吐出側に接続されて上記外気を建物内の吹出口に導く空気流路とを備えた外気加圧給気システムにおいて、
上記送気手段は、コンプレッサーと、このコンプレッサーの吐出側に接続された加圧タンクとを有し、
上記空気流路の途中には、上記加圧タンクを経由して上記コンプレッサーから送られる加圧空気を減圧する減圧弁が設けられ、上記コンプレッサーから上記減圧弁までの間の上記空気流路が配管によって構成されていることを特徴とするものである。
【０００７】
この請求項１に記載の本発明に係る外気加圧給気システムによれば、コンプレッサーにより吸引された外気が建物内に供給されるので、排気ガスの影響を受けないきれいな外気を取り入れ可能な屋上等にコンプレッサーを配置することにより、きれいな外気を建物内に供給することが可能になる。
また、コンプレッサーの吐出側に加圧タンクを接続し、この加圧タンクに空気流路を接続するようにしたので、空気流路内の空気圧をほぼ一定に保つことが可能になり、外気の供給を安定させることが可能になる。また、加圧タンクでは断熱圧縮により空気温度が低下するため、この温度の低い空気を利用することにより、冷房負荷を軽減することが可能になる。
さらに、コンプレッサーから減圧弁までの間の空気流路が配管によって構成されているので、建物の竪シャフトや天井内のスペースに関する制約が少なくなり、建物の有効利用を図ることができる。また、ダクトで外気を供給する場合と比べて展開スペースをとらなくなるため、天井内の配管、配線、機器等の納まりが良くなる。
また、減圧弁により、加圧タンクを経由してコンプレッサーから送られる加圧空気が減圧されるので、外気を居室内等に供給する際に騒音等の不具合が生じ難くなる。
【０００８】
請求項２に記載の発明は、建物内に空気を供給する送気手段と、この送気手段の吐出側に接続されて上記空気を建物内の吹出口に導く空気流路とを備えた外気加圧給気システムにおいて、
上記送気手段として、外部から加圧空気を充填可能な加圧タンクを用いるとともに、上記空気流路の途中には、上記加圧タンクから送られる加圧空気を減圧する減圧弁が設けられ、上記加圧タンクから上記減圧弁までの間の上記空気流路が配管によって構成されていることを特徴とするものである。
【０００９】
この請求項２に記載の本発明に係る外気加圧給気システムによれば、外部から加圧タンクに充填された空気が建物内に供給されるので、排気ガスの影響を受けないきれいな空気を建物内に供給することが可能になる。
また、加圧タンクから減圧弁までの間の空気流路が配管によって構成されているので、建物の竪シャフトや天井内のスペースに関する制約が少なくなり、建物の有効利用を図ることができる。また、ダクトで外気を供給する場合と比べて展開スペースをとらなくなるため、天井内の配管、配線、機器等の納まりが良くなる。
さらに、減圧弁により、加圧タンクから送られる加圧空気が減圧されるので、空気を居室内等に供給する際に騒音等の不具合が生じ難くなる。
【００１０】
【発明の実施の形態】
（第１の実施形態）
図１は、本発明に係る外気加圧給気システムの第１の実施形態を示す概略構成図である。
この外気加圧給気システムは、外気を吸引して建物１内に供給する送気手段と、この送気手段の吐出側に接続されて上記外気を建物１内の吹出口に導く空気流路４とにより概略構成されている。上記送気手段は、建物１の屋上に設けられたコンプレッサー２と、このコンプレッサー２の吐出側に接続された加圧タンク３とにより構成され、加圧タンク３には空気流路４が接続されている。
【００１１】
加圧タンク３には、その内圧を検出するセンサ（図示省略）が設けられ、このセンサの検出に基づいて、コンプレッサー２の運転が制御されるようになっている。そのため、加圧タンク３の内圧は常にほぼ一定に保たれている。また、加圧タンク３には、ヒーター等の加熱手段（図示省略）が組み込まれており、断熱圧縮により空気温度が低下しても、この加熱手段によって加圧空気を所望の温度に加熱することが可能となっている。
【００１２】
空気流路４は、建物１の屋上からパイプシャフト９を通って最下層階まで延びる竪管４ａと、この竪管４ａから分岐して各吹出ノズル６に至る複数の分岐管４ｂとにより概略構成されている。竪管４ａは、竪管ユニットに組み込まれた鋼管等により構成され、分岐管４ｂは可撓性耐圧ホースにより構成されている。また、竪管４ａには、分岐管４ｂとの接続部分に、加圧空気を減圧する減圧弁（図示省略）が組み込まれている。
【００１３】
そして、図１に示すように、建物１の各階には、空気流路４から送られる外気の浄化や温湿度調節等を行う空調機５ａ、５ｂが空調機械室８や天井内１１等に設置され、各階の居室１０の天井や壁等には、空気流路４から直接送られる空気または空調機５ａ、５ｂを経由して送られる調和空気を居室１０内や天井内１１等に吹き出すための吹出口が多数設けられている。これら吹出口の各々には、吹出ノズル６が設けられ、各吹出ノズル６には、外気の吹き出し時に発生する騒音を吸収する消音器（図示省略）が取り付けられている。また、建物１の各階には、居室１０内の空気を吸引して排気口１２に導くための送風機７が天井内１１等に設けられている。
【００１４】
上記構成からなる外気加圧給気システムにおいては、コンプレッサー２により取り込まれた外気が加圧され、この加圧空気が加圧タンク３を経由して竪管４ａにより各階に導かれて、減圧弁により減圧されてから、分岐管４ｂを介して吹出ノズル６から居室１０内や天井内１１或いは空調機５ａ、５ｂに供給される。空調機５ａ、５ｂに供給された外気は、空調機５ａ、５ｂで浄化処理や温湿度調節等が行われた後、吹出ノズル６から居室１０内等に供給される。また、外気の供給に合わせて、居室１０内の空気が送風機７により排気口１２に導かれ、排気口１２から建物１の外に排出される。これにより、居室１０内の空気が新鮮な外気と入れ替えられる。
【００１５】
このように、上記構成からなる外気加圧給気システムによれば、建物１の屋上に設けたコンプレッサー２から外気を取り入れて、これを建物１内の各居室１０に供給するようにしたので、排気ガスの影響を受けないきれいな外気を建物１内の各居室１０等に供給することが可能になる。
しかも、コンプレッサー２から建物１内に加圧空気を供給する空気流路４を配管（竪管４ａおよび分岐管４ｂ）で構成するようにしたので、建物１の竪シャフトや天井内１１のスペースに関する制約が少なくなり、建物１の有効利用を図ることができる。また、ダクトで外気を供給する場合と比べて展開スペースをとらなくなるため、天井内１１の配管、配線、機器等の納まりが良くなる。
また、分岐管４ｂを可撓性耐圧ホースで構成したので、天井内１１や空調機５ａ、５ｂ廻りなど、狭い空間においても空気流路４を容易に展開でき、内部改修工事にも容易に対応できるようになる。
【００１６】
さらに、本実施形態では、コンプレッサー２の吐出側に加圧タンク３を接続し、この加圧タンク３に空気流路４を接続するようにしたので、空気流路４内の空気圧をほぼ一定に保つことが可能になり、外気の供給を安定させることが可能になる。また、加圧タンク３では断熱圧縮により空気温度が低下するため、この温度の低い空気を利用することにより、冷房負荷を軽減することが可能になる。
【００１７】
なお、本実施形態においては、コンプレッサー２を建物１の屋上に設置するようにしたが、これに限られるものではなく、排気ガスの影響を受けないきれいな外気を取り入れ可能な位置であれば、例えば建物上層階のベランダなど、その他の位置に設置するようにしてもよい。
また、本実施形態においては、コンプレッサー２の吐出側から吹出口に至る空気流路全体を配管によって構成するようにしたが、展開スペースに余裕のある箇所については一部をダクトに置き換えるようにしてもよい。
【００１８】
（第２の実施形態）
図２は、本発明に係る外気加圧給気システムの第２の実施形態を示すもので、図１に示したものと同様の構成部分については、同一符号を付してその説明を省略する。
この外気加圧給気システムは、建物１内に空気を供給する加圧タンク２０と、この加圧タンク２０の吐出側に接続されて上記空気を建物１内の吹出口に導く空気流路４とにより概略構成されている。加圧タンク２０は建物１近傍の地上部に設置されている。また、加圧タンク２０は加圧空気の吸入口を有し、この吸入口を介して外部から加圧空気を充填可能となっている。
【００１９】
上記構成からなる外気加圧給気システムにおいては、タンクローリー等により加圧空気が加圧タンク２０に供給され、この加圧空気が竪管４ａにより各階に導かれて、減圧弁により減圧されてから、分岐管４ｂを介して吹出ノズル６から居室１０内や天井内１１或いは空調機５ａ、５ｂに供給される。
このように、本実施形態によっても、建物１内に新鮮な空気を供給することができ、第１の実施形態と同様の作用効果が得られる。
【００２０】
【発明の効果】
以上説明したように、請求項１に記載の本発明に係る外気加圧給気システムによれば、排気ガスの影響を受けないきれいな外気を取り入れ可能な屋上等にコンプレッサーを配置することにより、きれいな外気を居室内に供給することが可能になる。
また、コンプレッサーから減圧弁までの間の空気流路が配管によって構成されているので、建物の竪シャフトや天井内のスペースに関する制約が少なくなり、建物の有効利用を図ることができる。また、ダクトで外気を供給する場合と比べて展開スペースをとらなくなるため、天井内の配管、配線、機器等の納まりが良くなる。
【００２１】
さらに、配管施工時には、周知の竪管ユニット工法を採用することが可能となり、施工の効率化を図ることもできる。また、冬季の結露に対して行う断熱保温工事についても、ダクトに対して行う場合よりも低コストで施工することができる。加えて、空気流路を配管で構成することにより、防火区画貫通用のダンパーの取付が不要となり、これによって、更なるコスト低減が可能になる。
また、ダクトで外気を供給する場合には、ハゼ折り構造部分で空気の漏洩があるのに対して、配管で外気を供給する場合には、それがなくなるので、送風ロスをなくすこともできる。
【００２２】
請求項２に記載の本発明に係る外気加圧給気システムによれば、加圧タンクに充填された空気が建物内に供給されるので、排気ガスの影響を受けないきれいな空気を建物内に供給することが可能になる。
また、加圧タンクから減圧弁までの間の空気流路が配管によって構成されているので、建物の竪シャフトや天井内のスペースに関する制約が少なくなり、建物の有効利用を図ることができる。また、ダクトで外気を供給する場合と比べて展開スペースをとらなくなるため、天井内の配管、配線、機器等の納まりが良くなる。
【図面の簡単な説明】
【図１】本発明に係る外気加圧給気システムの第１の実施形態を示す概略構成図である。
【図２】本発明に係る外気加圧給気システムの第２の実施形態を示す概略構成図である。
【符号の説明】
１　　建物
２　　コンプレッサー
３、２０　加圧タンク
４　　空気流路
４ａ　竪管（配管）
４ｂ　分岐管（配管）
【図１】
2004044879.tif 000003
【図２】
2004044879.tif 000004